(57)【要約】      （修正有）【課題】動物または人が往来する経路に配設され、効果的に動物の足裏または人の靴の底面を消毒することができる消毒マット装置を提供する。【解決手段】消毒マット装置１０は、マット部１１と、マット収納部１２と、消毒液供給部１３と、を具備する。ここで、マット部１１は、消毒液１４を含浸することができる材料から成る。また、マット収納部１２は、マット部１１を収納することができる凹状部位１５を有する。更に、消毒液供給部１３は、消毒液１４が貯留される貯留部１６と、消毒液１４が凹状部位１５に供給される消毒液供給部位１７と、を有する。また、消毒液供給部位１７の下端が、マット収納部１２の凹状部位１５の底部から離間している。【選択図】図２
0003229231.tif 000002
【実用新案登録請求の範囲】
【請求項１】
動物または人が往来する経路に配設される消毒マット装置であり、
マット部と、マット収納部と、消毒液供給部と、を具備し、
前記マット部は、消毒液を含浸することができる材料から成り、
前記マット収納部は、前記マット部を収納することができる凹状部位を有し、
前記消毒液供給部は、前記消毒液が貯留される貯留部と、前記消毒液が前記凹状部位に供給される消毒液供給部位と、を有し、
前記消毒液供給部位の下端が、前記マット収納部の前記凹状部位の底部から離間していることを特徴とする消毒マット装置。
【請求項２】
取付部を更に具備し、
前記取付部は、前記マット収納部に固定され、
前記消毒液供給部は、前記取付部に着脱可能に取りつけられることを特徴とする請求項１に記載の消毒マット装置。
【考案の詳細な説明】
【技術分野】
【０００１】
本考案は、消毒マット装置に関し、特に動物または人が往来する経路に配設される消毒マット装置に関する。
【背景技術】
【０００２】
病院等の衛生に関する管理が厳しい建物に於いては、出入り口において、ユーザが履いている靴の底面を消毒するマット装置が配置されている場合がある。このようなマット装置の一例が、以下の各特許文献に記載されている。
【０００３】
特許文献１には、足踏み消毒マットに関する技術が記載されている。具体的には、三次元網目構造のシートに保持させ、このシートの側面及び下面を疎水性フィルムで被覆している。更に、このシートに吸水性樹脂を保持させている。このようにすることで、足踏み消毒マットの軽量化等を実現している。
【０００４】
特許文献２には、基布に多数のパイル糸を植生したマットに関する技術が記載されている。具体的には、このパイル糸群は、ポリアルキレングリコール誘導体などの保湿剤と、界面活性剤と、イオン交換水と、光触媒と銀メタル系または銀イオン系の抗菌剤の混合液を吹き付けて構成されている。このようにすることで、長期間にわたって粘性を維持することができ、長期間にわたって靴の底面の抗菌を行うことができ、構内への粉塵や細菌の持込を、玄関マットの位置で阻止できる。
【０００５】
特許文献３には、台座を有する薬液マットに関する技術が記載されている。具体的には、ここでの薬液マットは、マット本体とマット本体を収容した台座とからなる。またマット本体がセルロースからなるスポンジ構造体で構成されており、マット本体に消毒液が含浸されている。このようにすることで、靴の底面に付着して持ち出される薬液の量を少なくする効果が奏される。
【先行技術文献】
【特許文献】
【０００６】
【特許文献１】特開２０１２−５５８９号公報
【特許文献２】特開２００６−２７１５３６号公報
【特許文献３】特開平１１−１２８０５４号公報
【考案の概要】
【考案が解決しようとする課題】
【０００７】
しかしながら、上記した各文献に記載された技術では、確実な消毒および利便性の観点から、改良の余地があった。
【０００８】
具体的には、上記した各文献に記載された技術では、消毒用の薬液を供給する事項には言及されていない。例えば、特許文献３に記載された技術では、台座の凹部にマット本体が配置され、この凹部に薬液が貯留される。しかしながら、薬液が靴の底面に付着して持ち出されることで、凹部に貯留される薬液は徐々に減少するが、減少した薬液の補充方法は提案されていない。
【０００９】
本考案は、上記の事情に鑑みてなされたものであり、本考案の目的は、動物または人が往来する経路に配設され、効果的に動物の足裏または人の靴の底面を消毒することができる消毒マット装置を提供することにある。
【課題を解決するための手段】
【００１０】
本考案の消毒マット装置は、動物または人が往来する経路に配設される消毒マット装置であり、マット部と、マット収納部と、消毒液供給部と、を具備し、前記マット部は、消毒液を含浸することができる材料から成り、前記マット収納部は、前記マット部を収納することができる凹状部位を有し、前記消毒液供給部は、前記消毒液が貯留される貯留部と、前記消毒液が前記凹状部位に供給される消毒液供給部位と、を有し、前記消毒液供給部位の下端が、前記マット収納部の前記凹状部位の底部から離間していることを特徴とする。
【００１１】
また、本考案の消毒マット装置では、取付部を更に具備し、前記取付部は、前記マット収納部に固定され、前記消毒液供給部は、前記取付部に着脱可能に取りつけられることを特徴とする。
【考案の効果】
【００１２】
本考案の消毒マット装置は、動物または人が往来する経路に配設される消毒マット装置であり、マット部と、マット収納部と、消毒液供給部と、を具備し、前記マット部は、消毒液を含浸することができる材料から成り、前記マット収納部は、前記マット部を収納することができる凹状部位を有し、前記消毒液供給部は、前記消毒液が貯留される貯留部と、前記消毒液が前記凹状部位に供給される消毒液供給部位と、を有し、前記消毒液供給部位の下端が、前記マット収納部の前記凹状部位の底部から離間していることを特徴とする。従って、本考案の消毒マット装置によれば、消毒液供給部位の下端が、マット収納部の凹状部位の底部から離間していることで、凹状部位に貯留される消毒液の液面が所定以下になれば、消毒液供給部位の下端から消毒液が供給され、消毒液の液量を略一定に保つことができる。よって、センサやポンプ等の専用機構を用意せずとも、マット収納部の凹状部位に一定量の消毒液を貯留させることができる。よって、凹状部位に収納されるマット部は、常に消毒液を含浸した状態となり、動物または人がマット部を踏むことで、動物の足裏または人の靴の底面を効果的に消毒することができる。
【００１３】
また、本考案の消毒マット装置では、取付部を更に具備し、前記取付部は、前記マット収納部に固定され、前記消毒液供給部は、前記取付部に着脱可能に取りつけられることを特徴とする。従って、本考案の消毒マット装置によれば、消毒液供給部を簡易に取り外し、消毒液供給部に消毒液を補充することができる。
【図面の簡単な説明】
【００１４】
【図１】本考案の実施形態に係る消毒マット装置を示す斜視図である。
【図２】本考案の実施形態に係る消毒マット装置を示す図であり、（Ａ）は消毒マット装置を全体的に示す断面図であり、（Ｂ）は要所を拡大して示す拡大断面図である。
【図３】本考案の他の形態に係る消毒マット装置を示す断面図である。
【図４】本考案の更なる他の形態に係る消毒マット装置を示す断面図である。
【考案を実施するための形態】
【００１５】
以下に、本考案の実施形態に係る消毒マット装置１０を図面に基づき詳細に説明する。尚、本実施形態の説明の際には、同一の部材には原則として同一の符番を用い、繰り返しの説明は省略する。
【００１６】
図１は、本考案の実施形態に係る消毒マット装置１０を示す斜視図である。
【００１７】
消毒マット装置１０は、動物または人が往来する経路に配設され、マット部１１と、マット収納部１２と、消毒液供給部１３と、を具備している。消毒マット装置１０は、例えば、病院等の建物の出入り口近傍に配置される。
【００１８】
消毒マット装置１０の使用時においては、消毒液供給部１３から供給される消毒液１４が、マット収納部１２の凹状部位１５の底部に貯留され、マット部１１は消毒液１４を含浸する状態となる。マット部１１の上面を、ここでは図示しないが靴で踏みつけると、靴の底面に消毒液１４が付着し、靴の底面が消毒される。このようにすることで、ユーザの靴等を介して、新型コロナウィルスなどの有害なウィルス等が、病院等の建物に侵入することが抑制される。
【００１９】
図２は、本考案の実施形態に係る消毒マット装置１０を示す図である。図２（Ａ）は消毒マット装置１０を全体的に示す断面図であり、図２（Ｂ）はマット収納部１２に消毒液供給部１３が接続される部分を示す拡大断面図である。
【００２０】
図２（Ａ）を参照して、マット収納部１２は、例えば合成樹板材から成るトレイ状の部材であり、マット収納部１２は、マット部１１を収納することができる凹状部位１５を有している。
【００２１】
マット部１１は、消毒液１４を含浸することができる材料から成り、ナイロン、ポリエステル等の合成繊維状樹脂材料を略カーペット状に成形したものである。マット部１１の厚さは、例えば、５ｍｍないし１０ｍｍである。
【００２２】
図２（Ｂ）を参照して、消毒液供給部１３は、消毒液１４が貯留される貯留部１６と、消毒液１４が凹状部位１５に供給される消毒液供給部位１７と、を有している。具体的には、消毒液供給部１３として、逆さまに配置されたペットボトル等を採用することもできる。消毒液供給部位１７の下端は、マット収納部１２の凹状部位１５の底部から離間している。消毒液供給部位１７の下端が、マット収納部１２の凹状部位１５の底部から離間する距離Ｌ１は、例えば３ｍｍである。
【００２３】
消毒液１４としては、新型コロナウィルス等の有害なウィルスまたは細菌等を減少または死滅させることができる液体を採用できる。具体的には、消毒液１４として、アルコール消毒液、次亜塩素酸ナトリウム水溶液、界面活性剤を含む水溶液、次亜塩素酸水等を採用することができる。
【００２４】
取付部１８は、消毒液供給部１３をマット収納部１２に固定するための部位である。ここでは、取付部１８の紙面上左端側がマット収納部１２に固定されている。そして、消毒液供給部１３の消毒液供給部位１７が、取付部１８の紙面上右方部分に上方から固定されている。また、取付部１８に対して消毒液供給部１３は、ねじ込み式機構等により、簡易に着脱可能に固定されている。よって、使用状況下にて、消毒液供給部１３の貯留部１６に貯留される消毒液１４が僅かになれば、消毒マット装置１０を管理する管理者は、取付部１８から消毒液供給部１３を取り外し、消毒液供給部１３に消毒液１４を充填し、再び取付部１８に消毒液供給部１３の消毒液供給部位１７を取りつける。このようにすることで、管理者は、簡易に消毒液１４を補充することができる。
【００２５】
このようにすることで、マット収納部１２の凹状部位１５に、所定量の消毒液１４を貯留することができる。具体的には、使用状況下にて、マット部１１をユーザが靴で踏みつけることにより、靴の底面に消毒液１４が付着し、マット収納部１２の凹状部位１５に貯留される消毒液１４は徐々に減少する。即ち、消毒液１４の深さであるＬ１が浅くなる。このままであると、靴の底面に充分に消毒液１４を付着させることができず、十分な殺菌効果が得られない場合もある。
【００２６】
本実施形態では、消毒液１４の液量が減少すると、即ち消毒液１４の液面が下がると、消毒液供給部１３の消毒液供給部位１７と、消毒液１４の液面とが離れる。よって、消毒液供給部１３の貯留部１６に貯留された消毒液１４が、マット収納部１２の凹状部位１５に向けて流れる。その後、消毒液１４の水位が上昇し、消毒液１４の液面が消毒液供給部位１７の下端に達したら、表面張力の作用により、または、消毒液供給部１３の内圧と凹状部位１５に貯留された消毒液１４の水圧が拮抗することで、消毒液供給部１３から凹状部位１５への消毒液１４の流動は停止する。
【００２７】
換言すると、逆さまに配置された消毒液供給部１３の消毒液供給部位１７の下端を、マット収納部１２の凹状部位１５の底部から離間させることで、所定量の消毒液１４を凹状部位１５に貯留させることができる。更に、消毒液１４が減少したら、ユーザが操作せずとも、消毒液供給部１３の貯留部１６に貯留された消毒液１４が、マット収納部１２の凹状部位１５に供給される。
【００２８】
消毒液１４の液面は、消毒液供給部位１７の下端の位置を調整することで、マット部１１の上面またはその近傍とすることができる。ここでは、消毒液１４の液面はマット部１１の上面よりも若干下方とされている。即ち、消毒液供給部位１７の下端の位置が、マット部１１の上面よりも下方とされている。このようにすることで、ユーザが靴でマット部１１を踏みつけると、マット部１１の上面が消毒液１４の液面付近まで下がり、ユーザの靴の底面に消毒液１４が適度に付着し、且つ、ユーザの靴の底面を効果的に消毒することができる。
【００２９】
図３は、本考案の他の形態に係る消毒マット装置１０を示す断面図である。
【００３０】
図３に示された消毒マット装置１０の基本構成は、図１および図２に示したものと同様であり、ここでは、消毒液供給部１３として大型のもの、例えば消毒液１４を数十リットル貯留できるタンクが採用される。消毒液供給部１３は、マット収納部１２には固定されず、マット収納部１２から離間した位置に配置される。消毒液供給部１３とマット収納部１２とは、例えば塩ビ管である導管１９により接続されている。導管１９の下端と、消毒液１４の液面とは一致している。このようにすることで、消毒マット装置１０の使用状況下にて、マット収納部１２の凹状部位１５の内部の消毒液１４が減少したら、消毒液供給部１３から凹状部位１５に消毒液１４を供給することができる。消毒液供給部１３は大型のものであるため、消毒液供給部１３に消毒液１４を補充する頻度を少なくし、ユーザの利便性を向上できる。ここで、消毒液供給部１３としては、消毒用の薬剤が貯留されるものと、希釈のための水が貯留されるものを用意し、それぞれを導管１９で接続することもできる。
【００３１】
図４は、本考案の更なる他の形態に係る消毒マット装置１０を示す断面図である。図３に示された消毒マット装置１０の基本構成は、図１および図２に示したものと同様であり、ここでは、消毒マット装置１０の紙面上左右両側に台座２０が取りつけられている。台座２０の上面は傾斜面とされており、台座２０の紙面上内側の上端部の高さは、マット収納部１２の上端部と略同一とされている。ここでの消毒マット装置１０は、例えば、病院や介護施設等の出入口等に配置することができる。
【００３２】
このようにすることで、消毒マット装置１０により、例えば、車椅子の車輪を消毒することができる。具体的には、車椅子の車輪が台座２０の上面に沿って移動し、マット収納部１２の内部でマット部１１および消毒液１４に接触する。このようにすることで、ユーザが、車椅子を利用して病院等の建物に入る際に、車椅子の車輪を好適に消毒することができる。更に、車椅子を押す介助者が、消毒マット装置１０のマット部１１を踏むことで、介助者の靴の底面を消毒することもできる。
【００３３】
前述した本実施形態により、以下のような主要な効果を奏することができる。
【００３４】
即ち、消毒液供給部位１７の下端が、マット収納部１２の凹状部位１５の底部から離間していることで、凹状部位１５に貯留される消毒液１４の液面が所定以下になれば、消毒液供給部位１７の下端から消毒液１４が供給され、消毒液１４の液量を略一定に保つことができる。よって、センサやポンプ等の専用機構を用意せずとも、マット収納部１２の凹状部位１５に一定量の消毒液１４を貯留させることができる。よって、凹状部位１５に収納されるマット部１１は、常に消毒液１４を含浸した状態となり、ユーザがマット部１１を踏むことで、ユーザの靴の底面を効果的に消毒することができる。
【００３５】
更に、消毒液供給部１３を簡易に取り外し、消毒液供給部１３に消毒液１４を補充することができる。
【００３６】
以上、本考案の実施形態について説明したが、本考案は、これに限定されるものではなく、本考案の要旨を逸脱しない範囲で変更が可能である。また、前述した各形態は相互に組み合わせることが可能である。
【００３７】
図２（Ｂ）を参照して、ここで、消毒液１４の液面は、マット部１１の上面と同レベルでも良いし、マット部１１の上面よりも若干上方でも良い。即ち、消毒液供給部１３の消毒液供給部位１７の下端は、マット部１１の上面と同レベルでも良いし、マット部１１の上面よりも若干上方でも良い。
【００３８】
上記した消毒マット装置１０は人以外の動物にも適用することができる。具体的には、消毒マット装置１０を動物病院等の出入口に配置し、この出入口にて、犬や猫などの動物が、消毒マット装置１０のマット部１１を踏むことで、動物の足裏を消毒することができる。このようにすることで、動物と動物との間、または人と動物との間で、新型コロナウィルス等の感染症が蔓延することを抑止できる。
【符号の説明】
【００３９】
１０   消毒マット装置
１１   マット部
１２   マット収納部
１３   消毒液供給部
１４   消毒液
１５   凹状部位
１６   貯留部
１７   消毒液供給部位
１８   取付部
１９   導管
２０   台座
【図１】
0003229231.tif 000003
【図２】
0003229231.tif 000004
【図３】
0003229231.tif 000005
【図４】
0003229231.tif 000006